(57)【要約】【課題】  単一での使用を可能とし、簡単な作業で被展示物を取り付けた基体を所望する配置に確実にでき、しかも、複数の被展示物を体裁良く整然と展示することのできる展示具を提供する。【解決手段】  前面に被展示物が取り付けられる基体と、該基体を吊り下げるべく、該基体に取り付けられる紐体とを備えた展示具であって、前記基体は、上下両端部の中央部又は上下両端部の中央両側の対称位置に紐体を挿通可能な紐挿通部を備えるとともに、背面に前記紐体を係止させる係止部を備えていることを特徴とする。【選択図】図１
2008228906.tif 000002
【特許請求の範囲】
【請求項１】
前面に被展示物が取り付けられる基体と、該基体を吊り下げるべく、該基体に取り付けられる紐体とを備えた展示具であって、前記基体は、上下両端部の中央部又は上下両端部の中央両側の対称位置に前記紐体を挿通させる紐挿通部を備えるとともに、背面に前記紐体を係止させる係止部を備えていることを特徴とする展示具。
【請求項２】
前記紐体は、少なくとも一端部に前記紐挿通部に対する抜止体が設けられている請求項１記載の展示具。
【請求項３】
前記係止部は、基体の背面に対して近接状態で対向する対向片と、該対向片を基体に連結した連結体とを備えている請求項１又は２記載の展示具。
【発明の詳細な説明】
【技術分野】
【０００１】
本発明は、書道、絵画、押し花、はがき等の被展示物を展示するための展示具に関し、より詳しくは、被展示物を所望する位置に吊り下げて展示するための展示具に関する。
【背景技術】
【０００２】
従来から、書道、絵画、押し花、はがき等の被展示物を展示するための展示具として、種々のものが提供されており、その一つとして、図１４（ａ）及び図１４（ｂ）に示す如く、前面に被展示物Ｐが取り付けられる基体５００と、該基体５００を吊り下げるべく、該基体５００に取り付けられた紐体５１０とを備えたものが知られている。
【０００３】
図１４（ａ）に示す展示具は、基体５００の上端部中央両側の対称位置に前記紐体５１０を挿通する紐挿通部５２０，５２０が設けられている。そして、該展示具は、前記紐体５１０が二カ所の紐挿通部５２０，５２０に挿通されるとともに、その紐体５１０の両端部が基体５００の背面側で結ばれて連結されている。これにより、かかる展示具は、紐体５１０が両紐挿通部５２０，５２０を繋いだ状態になっており、紐体５１０をフック等の掛止体に掛止させることで基体５００を吊り下げることができるようになっている。
【０００４】
他方、図１４（ｂ）に示す展示具は、基体５００の上端部中央両側の対称位置に前記紐体５１０を固定する紐連結部５３０，５３０が設けられており、二カ所の紐連結部５３０，５３０に紐体５１０の各端部が固定（例えば、接着して固定）されている。これにより、当該展示具は、紐体５１０が両紐固定部５３０，５３０を繋いだ状態になっており、その紐体５１０を掛止体に掛止させることで基体５００を吊り下げることができるようになっている。
【０００５】
このように上記何れの展示具も、紐挿通部５２０又は紐連結部５３０が上端部中央を基準にした対称位置に設定されることで、紐体５１０を掛止体に掛止させたときに基体５００をバランスよく吊り下げることができるようになっている。
【発明の開示】
【発明が解決しようとする課題】
【０００６】
ところで、被展示物が複数存在する場合、複数の展示具を用いて展示する形態が取られる場合がある。具体的には、学校、各種サークル等で作成された複数の被展示物（作品）や、個人収集された複数の被展示物（コレクション）等を展示する際、複数の展示具に被展示物が取り付けられ、それらを吊り下げて複数の被展示物を展示する場合がある。
【０００７】
しかしながら、上記構成の展示具は、何れも基体５００に取り付けられた紐体５１０をフック等の掛止体に掛止させる構成であるため、上述のように複数の展示具を吊り下げるには、展示具毎に掛止体を設置しなければならず、その作業が繁雑である。特に、複数の展示具を整然と配列する作業は、掛止体の取り付け位置の調節等を要するため、非常に煩雑である。
【０００８】
また、基体５００に紐挿通部５２０，５２０を備えた展示具は、紐体５１０の両端部を結んで連結する構成であるため、その紐体５１０の結び方や結び目の位置によって基体５００の配置が変動してしまう上に、紐体５１０の結び目の位置を調節して基体５００を所望する配置にする作業が煩雑であった。他方、基体５００に紐連結部５３０，５３０を備えた展示具は、紐体５１０の両端部が固定されているため、紐体５１０の長さ（基体５００の配置）を調節することができず、展示環境に応じた展示ができないといった問題があった。
【０００９】
そこで、本発明は、斯かる実情に鑑み、単一での使用を可能とし、簡単な作業で被展示物を取り付けた基体を所望する配置にすることができ、しかも、複数の被展示物を体裁良く整然と展示することのできる展示具を提供することを課題とする。
【課題を解決するための手段】
【００１０】
本発明に係る展示具は、前面に被展示物が取り付けられる基体と、該基体を吊り下げるべく、該基体に取り付けられる紐体とを備えた展示具であって、前記基体は、上下両端部の中央部又は上下両端部の中央両側の対称位置に前記紐体を挿通させる紐挿通部を備えるとともに、背面に前記紐体を係止させる係止部を備えていることを特徴とする。
【００１１】
上記構成の展示具によれば、前記基体は、上下両端部の中央部又は上下両端部の中央両側の対称位置に紐体を挿通可能な紐挿通部を備えるとともに、背面に前記紐体を係止させる係止部を備えているので、紐体は、その両端部を基体の前面側から上端部の紐挿通部に挿通した状態で係止部に係止させることで基体に取り付けられる。
【００１２】
より具体的には、基体が上下両端部の中央部に紐挿通部を備える場合には、紐体の両端部を基体の前面側から背面側に向けて上端中央部にある紐挿通部に挿通した状態にし、基体の背面側にある紐体を係止部に係止させると、紐体は、基体の前面側に延出した部分が環状をなして基体に取り付けられた状態になる。これにより、紐体の環状をなす部分をフック等の掛止体に掛止させることで基体を吊り下げた状態にすることができる。
【００１３】
他方、基体が上端部中央両側の対称位置に紐挿通部を備える場合、紐体の一端側を中央両側の一方にある紐挿通部に対して基体の前面側から背面側に挿通した状態にするとともに、紐体の他端側を中央両側の他方にある紐挿通部に対して基体の前面側から背面側に挿通した状態にし、基体の背面側に位置する紐体を係止部に係止させると、紐体は、基体の前面側に延出した部分が上端部の両紐挿通部を繋いだ状態をなして基体に取り付けられた状態になる。これにより、基体の前面側で上端部の両紐挿通部を繋いた紐体をフック等の掛止体に掛止させることで基体を吊り下げた状態にすることができる。
【００１４】
そして、基体が上下両端部の中央部に紐挿通部を備える場合、及び基体が上端部中央両側の対称位置に紐挿通部を備える場合の何れにおいても、その紐挿通部に挿通される紐体（基体の上端部に取り付けられる紐体）が連続した単一なものであるため、紐挿通部に挿通させた紐体の何れか一端側を背面側に引き込んだり、前面側に引き出したりすることで、紐挿通部から基体の前面側に延出した紐体の長さを調節することができる。そして、基体の前面側に延出した紐体の長さを調節した上でその一端側を係止部に係止させれば、前面側に延出した紐体の長さが変動することなく該紐体を基体に対して固定する（取り付ける）ことができる。これにより、展示具（基体）を所望する位置に簡単に配置する（吊り下げる）ことができる。
【００１５】
さらに、上記構成の展示具は、紐体を挿通する紐挿通部が上下両端部（上下方向の対称位置）に設けられているので、上述のように基体の前面側に延出した紐体を別の展示具の基体の下端側にある紐挿通部に挿通した状態にすれば、複数の展示具を前記紐体で連結させることができる。すなわち、基体の上端部にある紐挿通部に紐体を挿通させるときに、その紐体を予め別の展示具の基体の下端部の紐挿通部に挿通させた上で、下位の展示具の基体の上端部の紐挿通部に挿通し、その基体の背面側にある紐体を係止部に係止させることで、展示具同士を連結することができる。そして、上述のように、紐体の一端側の引き込みや引き出しで基体の前面側に延出した紐体の長さを調節することができるため、連結した別の展示具との距離も簡単に調節することができる。
【００１６】
また、紐挿通部を中央両側の対称位置に設けた場合、連結されて隣接する展示具は、二カ所で吊り下げられた状態になるが、連続した単一の紐体を紐挿通部に挿通することで基体同士を連結するため、紐体と基体との相対的な移動が許容され、隣接する展示具の基体同士を離間方向に引っ張るだけでその二カ所での基体同士の距離（基体が吊り下げられる二カ所の紐体の長さ）を均等にすることができる。
【００１７】
これにより、上記構成の展示具は、単一での使用を可能とし、簡単な作業で被展示物を取り付けた基体を所望する配置にすることができ、しかも、複数の被展示物を体裁良く整然と展示することができる。
【００１８】
本発明の一態様として、前記紐体は、少なくとも一端部に前記紐挿通部に対する抜止体が設けられることが好ましい。このようにすれば、抜止体によって紐体の一端側が紐挿通部に対して抜け止めされることで、その一端側が基体に固定された状態になるので、該紐体の他端側のみを係止部に係止させることで、紐体を基体に固定することができる。従って、紐体の両端を係止部に係止させる作業を必要とせず、簡単に紐体を基体に取り付けることができる。
【００１９】
そして、前記係止部は、基体の背面に対して近接状態で対向する対向片と、該対向片を基体に連結した連結体とを備えていることが好ましい。このようにすれば、紐体を基体の背面と対向片との間に位置するように連結体に巻き付けることで、紐体を係止させることができる。
【発明の効果】
【００２０】
以上のように、本発明に係る展示具によれば、単一での使用を可能とし、簡単な作業で被展示物を取り付けた基体を所望する配置にすることができ、しかも、複数の被展示物を体裁良く整然と展示することができるという優れた効果を奏し得る。
【発明を実施するための最良の形態】
【００２１】
以下、本発明の一実施形態に係る展示具について、添付図面を参照しつつ説明する。なお、本実施形態に係る展示具は、書道、絵画、押し花、はがき等の平面的な被展示物は勿論のこと、例えば、採取した昆虫等を台紙に取り付けたものや、表面に凹凸のあるもの等、種々の被展示物を対象とするが、以下の説明においては、被展示物として平面視長方形状の色紙を対象に説明することとする。
【００２２】
本実施形態に係る展示具は、図１（ａ）及び図１（ｂ）に示す如く、前面に被展示物Ｐが取り付けられる基体１０と、該基体１０を吊り下げるべく、該基体１０に取り付けられる紐体２０とを備えている。
【００２３】
本実施形態に係る基体１０は、平面視略長方形状をなす板状に形成されており、平面視長方形状に形成された厚手のベース材１００と、該基体１０の背面側となるベース材１００の一方の面に貼り合わされた薄手の背面材１０１とで構成されている。
【００２４】
前記ベース材１００は、芯体となる厚紙に対し、その厚紙の一方の面側から他方の面側にかけて包み込むようにして厚紙よりも大きな装飾用紙が貼り合わされたもので、厚紙の一方の面側（装飾用紙に全体的に覆われた側）が当該基体１０の前面になるように構成されている。
【００２５】
そして、背面材１０１は、ベース材１００よりも薄手ではあるがコシのある紙材が採用されており、所定の色彩又は模様（図示しない）が施されている。該背面材１０１は、ベース材１００の厚紙の他方の面（基体１０の背面）側に到達した装飾用紙の折り返し端部等を隠すべく、厚紙の他方の面に貼り合わされている。また、本実施形態に係る背面材１０１は、後述する係止部１０３を取り付ける部位としても機能している。
【００２６】
そして、本実施形態に係る基体１０は、上記構成を基本構成としつつ、上下両端部（長手方向の両端部）の中央両側の対称位置に紐体２０を挿通させる紐挿通部１０２ａ，１０２ｂ，１０２ｃ，１０２ｄを備えている。
【００２７】
これにより、前記基体１０は、上端部側にある二つの紐挿通部１０２ａ，１０２ｂと、下端部側にある二つの紐挿通部１０２ｃ，１０２ｄとが、上下方向の中央を基準にして対称位置に形成され、さらに、上端部及び下端部の中央両側の一方側（短手方向の一端側）にある二つの紐挿通部１０２ａ，１０２ｃと、上端部及び下端部の中央両側の他方側（短手方向の他端側）にある二つの紐挿通部１０２ｂ，１０２ｄとが、上下方向と直交する方向の中央を基準にして対称位置に形成されている。前記紐挿通部１０２ａ，１０２ｂ，１０２ｃ，１０２ｄのそれぞれは、基体１０を前後方向に貫通させた穴で構成され、紐体２０を挿通できるようになっている。
【００２８】
さらに、本実施形態に係る基体１０は、背面に前記紐体２０を係止させる係止部１０３を備えている。本実施形態において、紐挿通部１０２ａ，１０２ｂ，１０２ｃ，１０２ｄが上述のように四つ設けられているため、かかる係止部１０３は、各紐挿通部１０２ａ，１０２ｂ，１０２ｃ，１０２ｄに対して略均しい距離になるよう、基体１０の背面の略中央部に設けられている。
【００２９】
そして、係止部１０３は、基体１０の背面に対して近接状態で対向する対向片１０３ａと、該対向片１０３ａを基体１０に連結した連結体１０３ｂとを備えている。前記対向片１０３ａは、変形可能なシート材が採用され、本実施形態においては樹脂シートが採用されている。該対向片１０３ａは、平面視略円形状に形成され、略中央が前記連結体１０３ｂを介して基体１０の背面に連結（固定）されている。これにより、対向片１０３ａは、連結体１０３ｂを中心にして外方に延出した状態になっている。
【００３０】
前記連結体１０３ｂには、種々のものを採用できるが、本実施形態においては、いわゆる、ハトメが採用されている。すなわち、該連結体１０３ｂは、一端に鍔の形成された筒状体で、その筒状体の他端部をカシメ処理するように構成されたものである。そして、該連結体（筒状体）１０３ｂは、鍔を外側にして対向片１０３ａ及び基体１０に挿通され、他端部がカシメ処理されることで、対向片１０３ａを基体１０に固定している。本実施形態においては、基体１０の背面材１０１に対して筒状体１０３ｂを挿通した上でその他端部をカシメ処理し、対向片１０３ａ及び背面材１０１を鍔とカシメ処理された他端部とで挟み込むことで、対向片１０３ａを基体１０に連結している。
【００３１】
そして、本実施形態においては、図２（ａ）に示す如く、連結体１０３ｂを取り付けた背面材１０１をベース材１００に貼り付けることで、ベース材１００の他方の面に形成された凹部１０４内に連結体１０３ｂの他端（カシメ処理されて変形した筒状体の他端部）が収容されるようになっている。これにより、連結体１０３ｂを基体１０の前面側に露呈させないようになっている。
【００３２】
図１（ａ）及び図１（ｂ）に戻り、本実施形態に係る展示具１ａ，１ｂ，１ｃは、被展示物Ｐを着脱自在に取り付けるための取付手段１０６が基体１０の前面に設けられている。本実施形態に係る取付手段１０６は、被展示物Ｐを所定の配置にすることを前提に、その所定の配置とした被展示物Ｐの上端部及び下端部を係止できるように構成されている。本実施形態においては、上述の如く被展示物Ｐが所定サイズの平面視長方形状であることを前提に、取付手段１０６は、被展示物Ｐの四つの角部に対応して設けられており、各角部を係止可能に構成されている。
【００３３】
本実施形態に係る取付手段１０６は、両端が前面側から基体１０に挿通された紐材（本実施形態においてはゴム紐）で構成されており、紐材と基体１０との間に被展示物Ｐの角部を差し込むこと被展示物Ｐの角部を係止して、被展示物Ｐを取り付けることができるようになっている。すなわち、紐材で構成される各取付手段１０６が基体１０の上端縁に対して傾斜するように配置されることで、被展示物Ｐの各角部を差し込むことができるようになっている。
【００３４】
そして、取付手段１０６としての紐材は、基体１０に挿通した両端部を基体１０の背面側で結ぶことで基体１０に取り付けられており、その結び目が基体１０の背面側に露出することのないよう、前記ベース材１００に貼り付けられた背面材１０１によって覆い隠されている。そして、本実施形態においては、図２（ｂ）に示す如く、取付手段１０６を構成する紐材（結び目）が各取付手段１０６の配置に対応してベース材１００の他方の面に形成された凹部１０５内に収容されており、背面材１０１がベース材１００の他方の面に真っ直ぐな状態で貼り付けられている。
【００３５】
前記紐体２０は、図３（ａ）〜（ｃ）に示す如く、紐挿通部１０２ａ，１０２ｂ，１０２ｃ，１０２ｄに挿通可能な太さに設定されており、紐挿通部１０２ａ，１０２ｂ，１０２ｃ，１０２ｄに対する抜け止めを行うための抜止体２００が両端部に設けられている。
【００３６】
前記抜止体２００は、紐挿通部１０２ａ，１０２ｂ，１０２ｃ，１０２ｄに対して挿通可能に構成されるとともに、紐挿通部１０２ａ，１０２ｂ，１０２ｃ，１０２ｄに挿通した後に抜け止めとして機能するようになっている。
【００３７】
より具体的に説明すると、前記抜止体２００は、ピン状に形成されており、その軸線が紐体２０の端部の中心線と同方向に延び、且つ紐体２０の先端を当該抜止体２００の一端側に位置させるようにして、軸線方向の一端側の略半分に領域が紐体２０の端部に固定されている。本実施形態に係る抜止体２００は、所定形状に裁断された金属プレートをプレス加工することで形成されており、そのプレス加工する際に紐体２０の端部をその金属プレート（図においては周方向に延出する爪状部２０１）で巻き込むことで、紐体２０に連結されている。
【００３８】
これにより、抜止体２００の軸線を紐体２０の中心線と略同方向にした状態で基体１０の紐挿通部１０２ａ，１０２ｂ，１０２ｃ，１０２ｄに挿通させることができ、その紐挿通部１０２ａ，１０２ｂ，１０２ｃ，１０２ｄに挿通した後、紐体２０の端部（抜止体２００の固定された端部）を曲げることで、抜止体２００が紐体２０に対して交差方向に延びた姿勢になって抜け止め機能を発揮するようになっている。
【００３９】
本実施形態に係る展示具１ａ，１ｂ，１ｃは、以上の構成からなり、図１（ａ）及び図１（ｂ）に示す如く、基体１０の上端側の紐挿通部１０２ａ，１０２ｂに紐体２０を挿通した上で、該紐体２０の端部側を係止部１０３に係止させることで該紐体２０が基体１０に取り付けられる。
【００４０】
より具体的には、本実施形態に係る展示具１ａ，１ｂ，１ｃは、紐体２０の一端側を中央両側の一方（基体１０の上端部側で且つ短手方向の一端側）にある紐挿通部１０２ａ，に対し、基体１０の前面側から背面側に挿通した状態にするとともに、紐体２０の他端側を中央両側の他方（基体１０の上端部側で且つ短手方向の他端側）にある紐挿通部１０２ｂに対し、基体１０の前面側から背面側に挿通した状態にする。なお、本実施形態において「挿通した状態にする」とは、紐体２０を紐挿通部１０２ａ，１０２ｂ，１０２ｃ，１０２ｄに挿通させた後の状態を意味し、例えば、上述のように、紐体２０の一端側を紐挿通部１０２ａに対し、基体１０の前面側から背面側に挿通した状態とは、紐体２０の一端側を紐挿通部１０２ａに対して前面側から背面側に挿通して背面側に延出させた状態は勿論のこと、紐体２０の他端側を紐挿通部１０２ａに対して背面側から前面側に挿通し、最終的に紐体２０の一端側を背面側に延出させた状態（一端側を前面側から挿通させたのと同様の状態）にしたものも含むものである。
【００４１】
そして、本実施形態においては、前記紐体２０の両端部に抜止体２００を設けているので、何れか一方の抜止部２００を基体１０の背面側で係止させ、紐体２０の一端側を紐挿通部１０２ａに対して抜け止めした状態にする。
【００４２】
これに併せて、紐挿通部１０２ａに挿通させた紐体２０の他端側を背面側に引き込んだり、前面側に引き出したりすることで、基体１０の前面側に延出した紐体２０の長さ（紐体２０の両紐挿通部１０２ａ，１０２ｂを繋いだ部分の長さ）を調節する。
【００４３】
そして、基体１０の前面側に延出した紐体２０の長さを調節した上でその紐体２０の一端側を係止部１０３に係止させる。本実施形態においては、係止部１０３を対向片１０３ａと連結体１０３ｂとで構成し、紐体２０を連結体１０３ｂに対して巻き付けることで係止状態にするようにしているため、紐体２０を係止部１０３に係止させる際に、両紐挿通部１０２ａ，１０２ｂを繋いだ紐体２０の長さが調節した状態から変動することもない。なお、図においては、連結体１０３ｂに対する紐体２０の巻き付けが解除されるのを防止するため、連結体１０３ｂに巻き付けた紐体２０の端部側を、紐挿通部１０２ｂから係止部１０３に向けて延びる部分に結び付けるようにしている。
【００４４】
これにより、紐体２０は、基体１０の前面側から延出して上端部の両紐挿通部１０２ａ，１０２ｂを繋いだ状態で基体１０に取り付けられることになり、該展示具１ａ，１ｂ，１ｃは、紐体２０の両紐挿通部１０２ａ，１０２ｂを繋いだ部分をフック等の掛止体に掛止させることで、基体１０（被展示物Ｐ）を所望する位置に配置する（吊り下げる）ことができる。
【００４５】
そして、図４に示す如く、複数の被展示物Ｐを上下方向に整列状態で展示する場合、両紐挿通部１０２ａ，１０２ｂを繋いだ紐体２０の部分を別の展示具１ａ，１ｂの基体１０の下端側にある紐挿通部１０２ｃ，１０２ｄに挿通させた状態にして複数の展示具１ａ，１ｂ，１ｃを連結する。
【００４６】
より具体的に説明すると、図５に示す如く、基体１０及び紐体２０を備えた複数の展示具１ａ，１ｂ，１ｃを用意し、最上位置の展示具１ａの紐体２０のみを上述のようにしてフック等の掛止体に掛止できる状態にする。
【００４７】
そして、その展示具１ａに対して他の展示具１ｂ（基体１０）を吊り下げるのであるが、そのとき、他の展示具１ｂの紐体２０の一端側を、上位とする展示具１ａ（基体１０）の下端側の中央両側の一方（基体１０の下端部側で且つ短手方向の一端側）にある紐挿通部１０２ｃに対し、基体１０の背面側から前面側に挿通した状態にし、さらに下位とする当該展示具１ｂ，１ｃ（基体１０）の上端側の中央両側の一方（基体１０の上端部側で且つ短手方向の一端側）にある紐挿通部１０２ａに対し、基体１０の前面側から背面側に挿通した状態にする。
【００４８】
これに併せて、他の展示具１ｂの紐体２０の他端側を、上位とする展示具１ａ（基体１０）の下端側の中央両側の他方（基体１０の下端部側で且つ短手方向の他端側）にある紐挿通部１０２ｄに対し、基体１０の背面側から前面側に挿通した状態にし、さらに下位とする当該展示具１ｂ（基体１０）の上端側の中央両側の他方（基体１０の上端部側で且つ短手方向の他端側）にある紐挿通部１０２ｂに対し、基体１０の前面側から背面側に挿通した状態にする。
【００４９】
そして、本実施形態においては、前記紐体２０の両端部に抜止体２００を設けているので、何れか一方の抜止体２００を基体１０の背面側で係止させ、紐体２０の一端側を紐挿通部１０２ａに対して抜け止めした状態にする。これに併せて、紐挿通部１０２ａに挿通させた紐体２０の他端側を背面側に引き込んだり、前面側に引き出したりすることで、基体１０の前面側に延出した紐体２０の長さ（紐体２０の両紐挿通部１０２ａ，１０２ｂを繋いだ部分の長さ）を調節し、連結される展示具１ａ，１ｂ，１ｃの基体１０，１０間の間隔を所望する間隔に調整する。
【００５０】
そして、展示具１ａ，１ｂ，１ｃの基体１０，１０間の間隔（基体１０の前面側に延出した紐体２０の長さ）を調節した上でその紐体２０の一端側を係止部１０３に係止させる。なお、複数の展示具１ａ，１ｂ，１ｃを連結する場合においても、紐体２０を連結体１０３ｂに対して巻き付けることで係止状態にするため、紐体２０を係止部１０３に係止させるに際し、両紐挿通部１０２ａ，１０２ｂを繋いだ紐体２０の長さが調節した状態から変動することなく、基体１０，１０の間隔が設定した間隔で維持することになる。なお、この場合においても、連結体１０３ｂに対する紐体２０の巻き付けが解除されるのを防止するため、連結体１０３ｂに巻き付けた紐体２０の端部側を、紐挿通部１０２ｂから係止部１０３に向けて延びる部分に結び付けるようにしている。
【００５１】
本実施形態に係る展示具１ａ，１ｂ，１ｃは、下方側に位置する展示具１ａ，１ｂ，１ｃが二カ所で吊り下げられた状態になるが、単一の紐体２０を挿通することで連結するため、紐体２０と基体１０との相対的な移動が許容され、連結されて隣接する展示具１ａ，１ｂ，１ｃの基体１０同士を離間方向に引っ張るだけでその二カ所の距離が均等になり、バランスのとれた状態で吊り下げられた状態になる。
【００５２】
そうすると、展示具１ａ，１ｂ，１ｃは、基体１０の前面側に延出して上端部の両紐挿通部１０２ａ，１０２ｂを繋いだ紐体２０を介して、基体１０，１０同士が連結された状態になる。このように、別の展示具１ａ，１ｂ，１ｃを順々に連結することで、基体１０（基体１０に取り付けた被展示物Ｐ…）が上下方向に整然と配置されることになる。
【００５３】
なお、本実施形態に係る紐体２０に抜止体２００を設けたため、上述の如く、何れの展示具１ａ，１ｂ，１ｃにおいても、紐体２０の一端側を紐挿通部１０２ａに対して抜け止めした上で、該紐体２０の他端側を係止部１０３に係止させたが、本実施形態に係る展示具１ａ，１ｂ，１ｃの紐体２０の別の取付態様としては、図６に示す如く、基体１０の上端部にある両紐挿通部１０２ａ，１０２ｂに挿通した紐体２０の両端側の何れも係止部１０３に巻き付けて係止させる取付態様も採用することができる。
【００５４】
そして、本実施形態に係る展示具１ａ，１ｂ，１ｃは、基体１０に設けられた紐挿通部１０２ａ，１０２ｂ，１０２ｃ，１０２ｄの配置が対称位置にあるため、図７及び図８に示す如く、基体１０を９０°回転させて短手方向を上下方向にすることもできる。この場合、短手方向が上下方向となるため、短手方向の一端側にある二つの紐挿通部１０２ａ，１０２ｃが上端側の紐挿通部となり、短手方向の他端側にある二つの紐挿通部１０２ｂ，１０２ｄが下端側の紐挿通部となる。
【００５５】
従って、長手方向を上下方向とした場合と同様に、上端部となる短手方向の一端側にある二つの紐挿通部１０２ａ，１０２ｃに一本の紐体２０を挿通して係止部１０３に係止させることで、短手方向を上下方向にした基体１０を単一、又は連結して、被展示物Ｐを展示することができる。すなわち、長方形状をなす被展示物Ｐを基体１０に取り付け得るようにしていれば、基体１０の向きを変更し、その向きに対応して紐体２０を取り付けることで、縦長の被展示物Ｐを上下方向に整列して展示できる上に横長の被展示物Ｐを上下方向に整列して展示することができる。
【００５６】
以上のように、本実施形態に係る展示具１ａ，１ｂ，１ｃは、単一での使用を可能とし、簡単な作業で被展示物Ｐを取り付けた基体１０を所望する配置に確実にでき、しかも、複数の使用時にそれぞれの基体１０…を体裁良く連結することができ、これにより、複数の被展示物Ｐを体裁良く整然と展示することができる。
【００５７】
また、前記係止部１０３が、基体１０の背面に対して近接状態で対向する対向片１０３ａと、該対向片１０３ａを基体１０に固定した連結体１０３ｂとを備えた構成とすることで、紐体２０を連結体１０３ｂに巻き付けるだけで係止させることができる。
【００５８】
また、前記紐体２０の両端部に前記紐挿通部１０２ａ，１０２ｂ，１０２ｃ，１０２ｄに対する抜止体２００を設けたので、紐体２０の他端側のみを係止部１０３に係止させるだけで、紐体２０を基体１０に取り付けることができる。
【００５９】
さらに、前記基体１０は、平面視矩形状をなす被展示物Ｐを取り付けるべく、前面に前記被展示物Ｐの四隅を係止させる取付手段１０６が設けられているので、基体１０の配置のみならず、被展示物Ｐの取り付けも容易である。
【００６０】
次に、本発明に係る展示具の第二実施形態について説明する。なお、本実施形態に係る展示具は、第一実施形態に係る展示具に対し、基体に設けられる紐挿通部の配置が異なる以外は、同一の構成であるため、以下の説明において、紐挿通部の配置及びこれに伴う紐体の取り付けについてのみ説明し、基体及び紐体に対する他の構成については同一名称及び同一符号を付して説明を割愛することとする。
【００６１】
図９（ａ）及び図９（ｂ）に示す如く、本実施形態に係る展示具１ａ’，１ｂ’，１ｃ’の基体１０は、上下両端部の中央部に紐体２０が挿通可能な紐挿通部１０２ａ’，１０２ｂ’を備えている。
【００６２】
これにより、本実施形態に係る基体１０は、上端部側にある一つの紐挿通部１０２ａ’と、下端部側にある一つの紐挿通部１０２ｂ’とが、上下方向の中央を基準にして対称位置に形成されている。そして、該基体１０には、上下方向と直交方向（基体１０の短手方向）の両端部の上下方向の略中央位置にも紐体２０を挿通させる紐挿通部１０２ｃ’，１０２ｄ’が設けられている。すなわち、本実施形態に係る展示具１ａ’１ｂ’，１ｃ’においても、第一実施形態と同様に、基体１０の向きを変更して使用できるよう、長手方向の略中央位置で且つ上下方向（長手方向）と直交する方向の中央位置を基準にした対称位置に紐体２０を挿通させる一対の紐挿通部１０２ｃ’，１０２ｄ’が設けられている。
【００６３】
本実施形態に係る展示具１ａ’，１ｂ’，１ｃ’は、以上の構成からなり、基体１０の上端側の紐挿通部１０２ａ’に紐体２０を挿通させた上で、その紐体２０の端部を係止部１０３に係止させることで該紐体２０が基体１０に取り付けられる。
【００６４】
より具体的には、本実施形態に係る展示具１ａ’，１ｂ’，１ｃ’は、紐体２０の両端部を上端部中央にある紐挿通部１０２ａ’に基体１０の前面側から背面側に挿通した状態にする。そして、本実施形態においては、前記紐体２０の両端部に抜止体２００を設けているので、何れか一方の抜止部２００を基体１０の背面側で係止させ、紐体２０の一端側を紐挿通部１０２ａ’に対して抜け止めした状態にする。
【００６５】
これに併せて、紐挿通部１０２ａ’に挿通させた紐体２０の他端側を背面側に引き込んだり、前面側に引き出したりすることで、基体１０の前面側に延出した紐体２０の長さ（紐体２０の環状部分のサイズ）を調節し、連結される展示具１ａ，１ｂ，１ｃの基体１０，１０間の間隔を所望する間隔に調整する。
【００６６】
そして、基体１０の前面側に延出した紐体２０の長さを調節した上でその紐体２０の一端側を係止部１０３に係止させる。本実施形態においても、係止部１０３を対向片１０３ａと連結体１０３ｂとで構成し、紐体２０を連結体１０３ｂに対して巻き付けることで係止状態にするようにしているため、紐体２０を係止部１０３に係止させる際に、基体１０の前面側に延出した紐体２０の環状部分のサイズが調節した状態から変動することもない。なお、図においては、連結体１０３ｂに対する紐体２０の巻き付けが解除されるのを防止するため、連結体１０３ｂに巻き付けた紐体２０の端部側を、紐挿通部１０２ｂから係止部１０３に向けて延びる部分に結び付けるようにしている。
【００６７】
これにより、紐体２０は、基体１０の前面側に延出して環状をなした状態で基体１０に取り付けられることになり、該展示具１ａ，１ｂ，１ｃは、紐体２０の環状部分をフック等の掛止体に掛止させることで、展示具１ａ，１ｂ，１ｃ（基体１０）を所望する位置に配置する（吊り下げる）ことができる。
【００６８】
そして、図１０に示す如く、複数の被展示物Ｐを上下方向に整列状態で展示する場合、基体１０の前面側に延出した紐体２０の環状部分を別の展示具１ａ’，１ｂ’の基体１０の下端側にある紐挿通部１０２ｂ’に挿通させ、複数の展示具１ａ’，１ｂ’，１ｃ’を前記紐体２０で連結させる。
【００６９】
より具体的に説明すると、基体１０及び紐体２０を備えた複数の展示具１ａ’，１ｂ’，１ｃ’を用意し、最上位置の展示具１ａ’，１ｂ’，１ｃ’の紐体２０のみを上述のように環状にしてフック等に係止できる状態にする。
【００７０】
そして、その展示具１ａ’に対して他の展示具１ｂ’，１ｃ’（基体１０）を吊り下げるのであるが、そのとき、他の展示具１ｂ’，１ｃ’の紐体２０の一端側を、上位とする展示具１ａ’，１ｂ’（基体１０）の下端側の紐挿通部１０２ｂ’に対し、基体１０の背面側（前面側）から前面側（背面側）に挿通した状態し、さらに下位とする当該展示具１ｂ’，１ｃ’（基体１０）の上端側の紐挿通部１０２ａ’に対し、基体１０の前面側から背面側に挿通した状態にする。これに併せて、他の展示具１ｂ’，１ｃ’の紐体２０の他端側を当該展示具１ｂ’，１ｃ’（基体１０）の上端側の紐挿通部１０２ａ’に対し、基体１０の前面側から背面側に挿通した状態にする。
【００７１】
そして、本実施形態においては、前記紐体２０の両端部に抜止体２００を設けているので、何れか一方の抜止体２００を基体１０の背面側で係止させ、紐体２０の一端側を紐挿通部１０２ａ’に対して抜け止めした状態にする。これに併せて、紐挿通部１０２ａ’に挿通させた紐体２０の他端側を背面側に引き込んだり、前面側に引き出したりすることで、基体１０の前面側に延出した紐体２０の長さ（紐体２０の環状部分のサイズ）を調節し、連結される展示具１ａ’，１ｂ’，１ｃ’の基体１０，１０間の間隔を所望する間隔に調整する。
【００７２】
そして、展示具１ａ’，１ｂ’，１ｃ’の基体１０，１０間の間隔（基体１０の前面側に延出した紐体２０の長さ）を調節した上でその紐体２０の一端側を係止部１０３に係止させる。なお、複数の展示具１ａ’，１ｂ’，１ｃ’を連結する場合においても、紐体２０を連結体１０３ｂに対して巻き付けることで係止状態にするため、紐体２０を係止部１０３に係止させるに際し、基体１０の前面側に延出した紐体２０の環状部分のサイズが調節した状態から変動することなく、基体１０，１０の間隔が設定した間隔で維持することになる。なお、この場合においても、連結体１０３ｂに対する紐体２０の巻き付けが解除されるのを防止するため、連結体１０３ｂに巻き付けた紐体２０の端部側を、紐挿通部１０２ｂから係止部１０３に向けて延びる部分に結び付けるようにしている。
【００７３】
そうすると、展示具１ａ’，１ｂ’，１ｃ’は、基体１０の前面側に延出する紐体２０の環状部分を介して、基体１０，１０同士が連結された状態になる。このように、別の展示具１ａ’，１ｂ’，１ｃ’を順々に連結することで、基体１０（基体１０に取り付けた被展示物Ｐ…）が上下方向に整然と配置されることになる。
【００７４】
なお、本実施形態においても、紐体２０に抜止体２００を設けたため、上述の如く、何れの展示具１ａ’，１ｂ’，１ｃ’においても、紐体２０の一端側を紐挿通部１０２ａ’に対して抜け止めした上で、該紐体２０の他端側を係止部１０３に係止させたが、本実施形態に係る展示具１ａ’，１ｂ’，１ｃ’の紐体２０の別の取付態様としては、図１１に示す如く、基体１０の上端部にある紐挿通部１０２ａ’に挿通した紐体２０の両端側の何れも係止部１０３に巻き付けて係止させる取付態様も採用することができる。
【００７５】
そして、本実施形態に係る展示具１ａ’，１ｂ’，１ｃ’は、短手方向の中央を基準にした対称位置にも、紐挿通部１０２ｃ’，１０２ｄ’が設けられているので、図１２に示す如く、基体１０を９０°回転させて短手方向を上下方向にすることもできる。この場合、短手方向が上下方向となるため、短手方向の一端側にある一つの紐挿通部１０２ｃ’が上端側の紐挿通部となり、短手方向の他端側にある一つの紐挿通部１０２ｄ’が下端側の紐挿通部となる。
【００７６】
従って、長手方向を上下方向とした場合と同様に、上端部となる短手方向の一端側にある一つの紐挿通部１０２ｃ’に一本の紐体２０を挿通して係止部１０３に係止させることで、短手方向を上下方向にした基体１０を単一、又は連結して、被展示物Ｐを展示することができる。従って、長方形状をなす被展示物Ｐを基体１０に取り付け得るようにしていれば、基体１０の向きを変更し、その向きに対応して紐体２０を取り付けることで、縦長の被展示物Ｐを上下方向に整列して展示できる上に横長の被展示物Ｐを上下方向に整列して展示することができる。
【００７７】
以上のように、本実施形態に係る展示具１ａ’，１ｂ’，１ｃ’は、前記基体１０が上下両端部の中央部に紐体２０が挿通可能な紐挿通部１０２ａ’，１０２ｂ’を備えるとともに、背面に前記紐体２０を係止させる係止部１０３を備えているので、第一実施形態に係る展示具１ａ，１ｂ，１ｃと同様の作用及び効果を奏することができる。
【００７８】
尚、本発明の展示具は、上記何れの実施形態に限定されるものではなく、本発明の要旨を逸脱しない範囲内において種々変更を加え得ることは勿論である。
【００７９】
上記第一及び第二実施形態において、基体１０を平面視長方形状に形成したが、これに限定されるものではなく、例えば、図１３（ａ）に示す如く、基体１０を平面視円形状に形成したり、図１３（ｂ）に示す如く、基体１０を平面視扇状に形成したりしてもよい。なお、基体１０を四角形状に形成したり円形に形成したりする場合、すなわち、上下の対称位置、及び左右対称位置に紐挿通部を形成できる場合には、上下左右に紐挿通部１０２…を設けることが好ましい。このようにすれば、第一及び第二実施形態と同様に、基体１０を９０°回転させることで、基体１０に取り付けた被展示物Ｐの展示形態を縦横で変更することが可能となる。
【００８０】
上記第一及び第二実施形態において、係止部１０３を対向片１０３ａと連結体１０３ｂとで構成したが、これに限定されるものではなく、例えば、紐体２０を巻き付けたり、挟み込んだりすることのできる爪部材等を係止部１０３として設けるようにしてもよい。また、係止部１０３の配置は、基体１０の背面の略中央に限定されるものではなく、背面側であれば適宜配置を変更してもよい。但し、上記第一及び第二実施形態のように、基体１０を９０°回転して縦横を変更できる構成にする場合、その基体１０の配置に応じて紐体２０を挿通させる紐挿通部１０２ａ，１０２ｂ，１０２ｃ，１０２ｄ，１０２ａ’，１０２ｂ’，１０２ｃ’，１０２ｄ’を変更する必要があるため、バランスや紐体２０の長さ設定等の観点において各紐挿通部１０２ａ，１０２ｂ，１０２ｃ，１０２ｄ，１０２ａ’，１０２ｂ’，１０２ｃ’，１０２ｄ’からの距離が均等になる位置に係止部１０３を設けることが好ましい。
【００８１】
上記第一実施形態において、複数の展示具１ａ，１ｂ，１ｃを連結するのに、上位の展示具１ａ，１ｂ（基体１０）の下端側の紐挿通部１０２ｃ，１０２ｄに対し、背面側から前面側に紐体２０を挿通させるようにしたが、これに限定されるものではなく、例えば、上位の基体１０の下端側の紐挿通部１０２ｃ，１０２ｄに対し、前面側から背面側に紐体２０を挿通させるようにしてもよい。但し、このように紐体２０を上位の基体１０に対して前面側から挿通させると、その前面側に両紐挿通部１０２ｃ，１０２ｄに掛け渡された紐体２０が位置し、体裁が良くないため、上記実施形態と同様にすることが好ましい。
【００８２】
上記第一、及び第二実施形態において、係止部１０３の連結体１０３ｂを背面材１０１に取り付けることで、基体１０に固定された状態になるようにしたが、これに限定されるものではなく、例えば、上記実施形態のようにハトメで連結体１０３ｂを構成するような場合、そのハトメを基体１０全体に貫通させるように取り付けてもよい。この場合、連結体１０３ｂは、被展示物Ｐが取り付けられる領域、すなわち、被展示物Ｐが取り付けられることで覆い隠される領域に設けることは言うまでもない。また、取付手段１０６を紐材（ゴム紐）で構成する場合、基体１０全体に挿通させて取り付けるようにし、背面側で紐材の両端部同士を結ぶようにしてもよい。
【００８３】
従って、基体１０は、ベース材１００に対して背面材１０１を貼り付けたものに限定されるものではなく、例えば、ベース材１００単独で基体１０としてもよい。但し、製品としての見栄え等を考慮すれば、上記実施形態と同様に、ベース材１００と背面材１０１との間に取付手段１０６の結び目やハトメのカシメ部分を位置させて隠蔽することが好ましいことは言うまでもない。また、基体１０は、板状のものに限定されるものではなく、例えば、額の如く形成してもよい。何れにしても、前記基体１０が、上下両端部の中央部又は上下両端部の中央両側の対称位置に紐体２０を挿通可能な紐挿通部１０２ａ，１０２ｂ，１０２ｃ，１０２ｄ，１０２ａ’，１０２ｂ’，１０２ｃ’，１０２ｄ’を備えるとともに、背面に前記紐体２０を係止させる係止部１０３を備えていることで、上記実施形態と同様の展示状態とすることができる。
【００８４】
上記第一、及び第二実施形態において、紐挿通部１０２ａ，１０２ｂ，１０２ｃ，１０２ｄ，１０２ａ’，１０２ｂ’，１０２ｃ’，１０２ｄ’を基体１０に穿設した貫通穴で構成したが、これに限定されるものではなく、例えば、紐体２０を挿通可能なリング体やアイフック等を上記実施形態と同様の配置で設け、リング体やアイフック等を紐挿通部１０２ａ，１０２ｂ，１０２ｃ，１０２ｄ，１０２ａ’，１０２ｂ’，１０２ｃ’，１０２ｄ’としてもよい。この場合、係止部１０３の配置の関係上、リング体やアイフックを基体１０の背面、又は基体１０の上下端縁に設けることは当然のことである。
【００８５】
上記第一、及び第二実施形態において、紐体２０の両端部に抜止体２００を設けたがこれに限定されるものではなく、例えば、何れか一端部にのみ設けるようにしてもよい。このようにしても、上記実施形態で説明したように、紐体２０の一端部のみを基体１０に対して抜け止めした上で、紐体２０の他端側を係止部１０３に係止させることで紐体２０を取り付けることができる。
【００８６】
また、紐体２０に取り付ける抜止体２００は、紐挿通部１０２ａ，１０２ｂ，１０２ｃ，１０２ｄ，１０２ａ’，１０２ｂ’，１０２ｃ’，１０２ｄ’に挿通可能なものに限定されるものではなく、例えば、紐挿通部１０２ａ，１０２ｂ，１０２ｃ，１０２ｄ，１０２ａ’，１０２ｂ’，１０２ｃ’，１０２ｄ’の内径よりも大きな外径に設定された玉状のものであっても勿論よい。但し、上記第一、又は第二実施形態のように、基体１０の姿勢を変更させる態様にする場合には、紐体２０を挿通させる紐挿通部１０２ａ，１０２ｂ，１０２ｃ，１０２ｄ，１０２ａ’，１０２ｂ’，１０２ｃ’，１０２ｄ’の対象が変わるため、何れか一端にのみ玉状の抜止体２００を設け、他端側を順次紐挿通部１０２ａ，１０２ｂ，１０２ｃ，１０２ｄ，１０２ａ’，１０２ｂ’，１０２ｃ’，１０２ｄ’に挿通させるようにすることは言うまでもない。
【００８７】
そして、上記第一及び第二実施形態において、紐体２０に抜止体２００を設けたが、これに限定されるものではなく、紐体２０は、単一のもの（抜止体２００を備えていないもの）であってもよい。このようにしても、図６や図１１に示すように紐挿通部１０２ａ，１０２ｂ，１０２ｃ，１０２ｄ，１０２ａ’，１０２ｂ’，１０２ｃ’，１０２ｄ’に挿通させた紐体２０の両端側を係止部１０３に係止させることで、上記実施形態と同様の作用、効果を奏することができる。
【００８８】
上記第一、及び第二実施形態において、被展示物Ｐが平面視矩形状であることを前提に、取付手段１０６で被展示物Ｐの四隅を係止させる構成としたが、これに限定されるものではなく、例えば、被展示物Ｐの上下方向の両端部（上下二カ所）を係止できるようにしてもよいし、上記実施形態のように基体１０の姿勢を変更できる構成にする場合には、上下二カ所に加え、両側二カ所も係止できるようにしてもよい。そして、取付手段１０６は、基体１０に挿通させた紐材に限定されるものではなく、例えば、変形自在な爪体を基体１０に取り付け、その爪体と基体１０との間に被展示物Ｐを挟み込むようにしたり、基体１０に被展示物Ｐの端部を差し込む切り込みと設けたりして、これらを取付手段１０６としてもよい。
【００８９】
また、上記第一、及び第二実施形態において、基体１０に対して取付手段１０６を設け、被展示物Ｐを着脱自在に構成したが、展示具１ａ，１ｂ，１ｃは、取付手段１０６を備えたものに限定されるものではなく、例えば、粘着テープ（好ましくは、両面粘着テープ）を用いて基体１０の前面に被展示物Ｐを適宜取り付けるようにしても勿論よい。
【図面の簡単な説明】
【００９０】
【図１】本発明の第一実施形態に係る展示具の説明図であって、（ａ）は、正面図、（ｂ）は、背面図を示す。
【図２】第一実施形態に係る展示具の説明図であって、（ａ）は、図１（ａ）のＩ−Ｉ断面図、（ｂ）は、図１（ａ）のＩＩ−ＩＩ断面図を示す。
【図３】第一実施形態に係る展示具の紐体の説明図であって、（ａ）は、紐体の一部を省略した全体図、（ｂ）は、（ａ）のＡ部分の拡大縦断面図、（ｃ）は、（ａ）のＡ部分の拡大平面図を示す。
【図４】第一実施形態に係る展示具を複数連結した展示状態の正面図を示す。
【図５】第一実施形態に係る展示具を複数連結した展示状態の背面図を示す。
【図６】第一実施形態に係る展示具を複数連結した展示状態であって、紐体の取り付け態様を変形した状態の背面図を示す。
【図７】第一実施形態に係る展示具を複数連結した展示状態であって、基体の姿勢を変更させた状態の正面図を示す。
【図８】第一実施形態に係る展示具を複数連結した展示状態であって、基体の姿勢を変更させた状態の背面図を示す。
【図９】本発明の第二実施形態に係る展示具の説明図であって、（ａ）は、正面図、（ｂ）は、背面図を示す。
【図１０】第二実施形態に係る展示具を複数連結した展示状態の背面図を示す。
【図１１】第二実施形態に係る展示具を複数連結した展示状態であって、紐体の取り付け態様を変形した状態の背面図を示す。
【図１２】第二実施形態に係る展示具を複数連結した展示状態であって、基体の姿勢を変更させた状態の背面図を示す。
【図１３】本発明の他実施形態に係る展示具の説明図であって、（ａ）は、基体を円形に形成した展示具を複数連結した状態の正面図、（ｂ）は、基体を扇形に形成した展示具を複数連結した状態の正面図を示す。
【図１４】従来の展示具の説明図であって、（ａ）は、紐体を基体に挿通して環状にするタイプの展示具の背面図、（ｂ）は、基体に紐体の両端部を固定したタイプの展示具の背面図を示す。
【符号の説明】
【００９１】
１ａ，１ｂ，１ｃ，１ａ’，１ｂ’，１ｃ’…展示具、１０…基体、２０…紐体、１００…ベース材、１０１…背面材、１０２ａ，１０２ｂ，１０２ｃ，１０２ｄ…紐挿通部、１０２ａ’，１０２ｂ’，１０２ｃ’，１０２ｄ’…紐挿通部、１０３…係止部、１０３ａ…対向片、１０３ｂ…連結体、１０４…凹部、１０５…凹部、１０６…取付手段、２００…抜止体、２０１…爪状部、Ｐ…被展示物
【図１】
2008228906.tif 000003
【図２】
2008228906.tif 000004
【図３】
2008228906.tif 000005
【図４】
2008228906.tif 000006
【図５】
2008228906.tif 000007
【図６】
2008228906.tif 000008
【図７】
2008228906.tif 000009
【図８】
2008228906.tif 000010
【図９】
2008228906.tif 000011
【図１０】
2008228906.tif 000012
【図１１】
2008228906.tif 000013
【図１２】
2008228906.tif 000014
【図１３】
2008228906.tif 000015
【図１４】
2008228906.tif 000016